(57)【特許請求の範囲】
【請求項１】
電力を供給する電池と、
前記電池の出力電圧を制御する素子を搭載した電池制御基板と、
吸気と排気とを行う電動送風機の動作を制御する素子を搭載した本体制御基板と、
前記電池と前記電池制御基板との間に設けられ、前記電池を支持したホルダと、
前記電池制御基板と前記本体制御基板との間に設けられた仕切体と、
前記電池と前記電池制御基板と前記本体制御基板とが並んだ方向の一側に設けられた第１電池ケースと、
前記電池と前記電池制御基板と前記本体制御基板とが並んだ方向の他側に設けられ、前記第１電池ケースとともに前記電池と前記電池制御基板と前記本体制御基板と前記ホルダと前記仕切体とを覆った第２電池ケースと、
前記電動送風機を収容し、把持部を有した筐体と、
を備え、
前記電池は、前記電池制御基板と前記本体制御基板とよりも前記把持部から離れ、
前記筐体は、前記把持部に設けられた操作部、
を備え、
前記把持部から前記筐体の前記電動送風機とは反対側を回って配置され、前記本体制御基板における前記電動送風機の側とは反対側と前記操作部とを電気的に接続した操作部リード線と、
前記筐体の前記電動送風機とは反対側を回らずに配置され、前記本体制御基板における前記電動送風機の側と前記電動送風機とを電気的に接続した電動送風機リード線と、
を備えた電気掃除機。
【発明の詳細な説明】
【技術分野】
【０００１】
この発明は、電気掃除機に関する。
【背景技術】
【０００２】
特許文献１は、電気掃除機を開示する。当該電気掃除機は、電池と電池制御基板と本体制御基板とを備える。
【先行技術文献】
【特許文献】
【０００３】
【特許文献１】特開２０１４−１３６０１４号公報
【発明の概要】
【発明が解決しようとする課題】
【０００４】
しかしながら、特許文献１に記載のものにおいて、電池制御基板と本体制御基板とは離れた位置に配置される。このため、電池制御基板と本体制御基板とを箱体に収容する場合に電気掃除機が大きくなる。
【０００５】
この発明は、上述の課題を解決するためになされた。この発明の目的は、大型化を抑制することができる電気掃除機を提供することである。
【課題を解決するための手段】
【０００６】
この発明に係る電気掃除機は、電力を供給する電池と、前記電池の出力電圧を制御する素子を搭載した電池制御基板と、吸気と排気とを行う電動送風機の動作を制御する素子を搭載した本体制御基板と、前記電池と前記電池制御基板との間に設けられ、前記電池を支持したホルダと、前記電池制御基板と前記本体制御基板との間に設けられた仕切体と、前記電池と前記電池制御基板と前記本体制御基板とが並んだ方向の一側に設けられた第１電池ケースと、前記電池と前記電池制御基板と前記本体制御基板とが並んだ方向の一側に設けられ、前記第１電池ケースとともに前記電池と前記電池制御基板と前記本体制御基板と前記ホルダと前記仕切体とを覆った第２電池ケースと、前記電動送風機を収容し、把持部を有した筐体と、を備え、前記電池は、前記電池制御基板と前記本体制御基板とよりも前記把持部から離れ、前記筐体は、前記把持部に設けられた操作部、を備え、前記把持部から前記筐体の前記電動送風機とは反対側を回って配置され、前記本体制御基板における前記電動送風機の側とは反対側と前記操作部とを電気的に接続した操作部リード線と、前記筐体の前記電動送風機とは反対側を回らずに配置され、前記本体制御基板における前記電動送風機の側と前記電動送風機とを電気的に接続した電動送風機リード線と、を備えた。
【発明の効果】
【０００７】
これらの発明によれば、電池制御基板と本体制御基板とは、第１電池ケースと第２電池ケースとに覆われる。電池制御基板と本体制御基板とは、仕切体で仕切られる。このため、電気掃除機の大型化を抑制することができる。
【図面の簡単な説明】
【０００８】
【図１】この発明の実施の形態１における電気掃除機の斜視図である。
【図２】この発明の実施の形態１における電気掃除機の斜視図である。
【図３】この発明の実施の形態１における電気掃除機の要部の縦断面図である。
【図４】この発明の実施の形態１における電気掃除機の本体の側面図である。
【図５】この発明の実施の形態１における電気掃除機の本体の要部の縦断面図である。
【図６】この発明の実施の形態１における電気掃除機の本体の要部の横断面図である。
【図７】この発明の実施の形態１における電気掃除機の本体の要部の分解斜視図である。
【図８】この発明の実施の形態１における電気掃除機の本体の要部の分解斜視図である。
【図９】この発明の実施の形態１における電気掃除機の本体の要部の分解斜視図である。
【図１０】この発明の実施の形態１における電気掃除機の本体の要部の正面図である。
【図１１】図１０のＡ−Ａ線における断面図である。
【図１２】この発明の実施の形態１における電気掃除機の排気口カバーの斜視図である。
【図１３】この発明の実施の形態１における電気掃除機の排気口カバーの側面図である。
【図１４】図１３のＢ−Ｂ線における断面図である。
【図１５】この発明の実施の形態１における電気掃除機の電池ユニットの分解斜視図である。
【図１６】この発明の実施の形態１における電気掃除機の電池ユニットの斜視断面図である。
【図１７】この発明の実施の形態１における電気掃除機の本体の要部の縦断面図である。
【図１８】この発明の実施の形態１における電気掃除機の本体の要部の縦断面図である。
【図１９】この発明の実施の形態１における電気掃除機の本体の要部の縦断面図である。
【図２０】この発明の実施の形態１における電気掃除機の本体の要部の縦断面図である。
【図２１】この発明の実施の形態１における電気掃除機の本体の要部の縦断面図である。
【図２２】この発明の実施の形態１における電気掃除機のレバーとラッチとの側面図である。
【図２３】この発明の実施の形態１における電気掃除機のレバーとラッチとの側面図である。
【図２４】この発明の実施の形態１における電気掃除機のレバーとラッチとの側面図である。
【図２５】この発明の実施の形態１における電気掃除機のレバーの斜視図である。
【図２６】この発明の実施の形態１における電気掃除機のラッチの斜視図である。
【図２７】この発明の実施の形態２における電気掃除機の排気口カバーの縦断面図である。
【発明を実施するための形態】
【０００９】
この発明を実施するための形態について添付の図面に従って説明する。なお、各図中、同一又は相当する部分には、同一の符号が付される。当該部分の重複説明は適宜に簡略化又は省略化される。
【００１０】
実施の形態１．
図１はこの発明の実施の形態１における電気掃除機の斜視図である。図１においては、矢印の方向が電気掃除機の手前側である。
【００１１】
図１に示すように、電気掃除機は、充電台１と本体２とを備える。充電台１は、台座３と支柱４とを備える。凹部５は、支柱４の上面の手前側に形成される。充電端子６は、凹部５に設けられる。本体２は、充電台１に対して着脱自在に設けられる。本体２は、電動送風機７と電池ユニット８と筐体９と集塵容器１０と延長管１１と吸込口体１２とを備える。
【００１２】
電動送風機７は、図示しないモータとファンとを備える。電池ユニット８は、図１においては図示しない複数の電池８ａを備える。電池ユニット８は、電動送風機７よりも重い。
【００１３】
筐体９は、収容部１３と把持部１４と操作部１５と管部１６と凸部１７と第１筐体カバー１８と第２筐体カバー１９とを備える。収容部１３は、円筒状に形成される。収容部１３は、電動送風機７と電池ユニット８とを収容する。把持部１４は、収容部１３の手前側に形成される。把持部１４は、収容部１３の中心軸と同方向に直線状に形成される。操作部１５は、把持部１４の手前側に設けられる。管部１６は、筒状に形成される。管部１６は、把持部１４の下方において把持部１４と一直線上に配置される。凸部１７は、管部１６の奥側に形成される。第１筐体カバー１８は、把持部１４の手前側と操作部１５の手前側とを覆う。第２筐体カバー１９は、管部１６の手前側を覆う。
【００１４】
集塵容器１０は、円筒状に形成される。集塵容器１０の外径は、筐体９の収容部１３の外径に合わせて形成される。集塵容器１０は、筐体９の収容部１３の下方に配置される。集塵容器１０は、筐体９の凸部１７の上方に配置される。集塵容器１０は、筐体９の収容部１３に対して着脱自在に設けられる。集塵容器１０の中心軸は、電動送風機７と筐体９の収容部１３との中心軸とほぼ一致する。集塵容器１０は、電池ユニット８よりも軽い。延長管１１は、筒状に形成される。延長管１１は、把持部１４と管部１６と一直線上に配置される。延長管１１の上端部は、管部１６の下端部に連結される。延長管１１の手前側は、延長管カバー１１ａに覆われる。吸込口体１２は、直方体状に形成される。吸込口体１２は、図示しない回転ブラシとブラシモータとを備える。吸込口体１２は、幅方向の中央部において延長管１１の下端部に連結される。
【００１５】
電動送風機７と筐体９の収容部１３と集塵容器１０との中心軸は、筐体９の把持部１４と管部１６と延長管１１との中心軸に対して平行にずれる。
【００１６】
次に、図２と図３とを用いて、充電台１と本体２との取り付けを説明する。
図２はこの発明の実施の形態１における電気掃除機の斜視図である。図３はこの発明の実施の形態１における電気掃除機の要部の縦断面図である。
【００１７】
図２において、充電台１は、図示しない電源ケーブルを介して外部電源に接続される。充電台１は、外部電源からの電力を利用して空気清浄機として動作する。本体２は、直立した状態で充電台１に取り付けられる。この際、集塵容器１０は、支柱４の上方に配置される。吸込口体１２は、台座３の手前側に載せられる。本体２は、充電台１に取り付けられることにより充電台１と電気的に接続される。その結果、電池ユニット８の電池８ａ（図２においては図示せず）は、外部電源からの電力により充電される。
【００１８】
図３に示すように、本体２が充電台１に取り付けられている際、本体２の凸部１７は、充電台１の凹部５に挿入される。その結果、本体２は、充電台１に対して適切な位置に配置される。
【００１９】
次に、図４を用いて、本体２の使用方法を説明する。
図４はこの発明の実施の形態１における電気掃除機の本体の側面図である。
【００２０】
利用者は、把持部１４を持って掃除する。この際、吸込口体１２は、利用者の手前側において床面と対向する。
【００２１】
利用者が操作部１５を操作すると、電動送風機７のモータは、電池からの電力を用いて回転する。電動送風機７のファンは、モータの回転に追従して回転する。当該ファンの回転により、電動送風機７は、吸気および排気を開始する。当該吸気および排気により、吸引風が本体２の各風路において発生する。
【００２２】
利用者が操作部１５を操作すると、ブラシモータは、電池からの電力を用いて回転する。回転ブラシは、ブラシモータの回転に追従して回転する。
【００２３】
当該吸引風により、床面の塵埃は、空気とともに吸込口体１２に吸い込まれる。この際、回転ブラシは、床面の塵を掻き込む。その後、含塵空気は、吸込口体１２の内部と延長管１１の内部と管部１６の内部とを通過して集塵容器１０に送られる。集塵容器１０は、サイクロン分離機能を発揮する。その結果、集塵容器１０の内部において、当該含塵空気は旋回する。塵埃は、遠心力により当該含塵空気から分離する。分離された塵埃は、集塵容器１０に一時的に溜められる。
【００２４】
この際、清浄空気は、集塵容器１０から排出される。当該清浄空気は、電動送風機７に吸い込まれる。電動送風機７は、当該清浄空気を本体２の外部に排出する。
【００２５】
次に、図５を用いて、集塵容器１０を説明する。
図５はこの発明の実施の形態１における電気掃除機の本体の要部の縦断面図である。
【００２６】
図５に示すように、集塵容器１０は、流入管２０と旋回室２１と０次集塵室２２と１次集塵室２３と０次開口２４と１次開口２５と排出管２６とフィルタ２７とを備える。
【００２７】
流入管２０の一端部は、筐体９の管部１６の上端部に連結される。旋回室２１は、円筒部２１ａと円錐部２１ｂとを備える。円筒部２１ａの上部は、流入管２０の他端部に連結される。円錐部２１ｂの上部は、円筒部２１ａの下部に連結される。０次集塵室２２は、旋回室２１を囲む。１次集塵室２３は、円錐部２１ｂの下方に設けられる。１次集塵室２３は、０次集塵室２２の内側に設けられる。０次開口２４は、円筒部２１ａの側壁に形成される。１次開口２５は、円錐部２１ｂの下端部に形成される。排出管２６は、旋回室２１の内部に設けられる。フィルタ２７は、排出管２６の上部に設けられる。
【００２８】
集塵容器１０において、含塵空気は、流入管２０の一端部から流入する。当該含塵空気は、流入管２０の内部空間を流入管２０の軸方向に直進する。当該含塵空気は、円筒部２１ａの内部に流入する。当該含塵空気は、円筒部２１ａの内周面に沿って予め設定された方向に旋回する旋回気流となる。当該旋回気流は、強制渦領域と自由渦領域とを形成する。強制渦領域は、当該旋回気流の軸線近傍に形成される。自由渦領域は、強制渦領域の外側に形成される。当該旋回気流は、経路構造と重力とにより下向きに流れる。
【００２９】
当該旋回気流において、繊維塵埃、毛髪等の比較的嵩の大きな塵埃αは、遠心力により円筒部２１ａの内周面に押し付けられながら下方に進む。当該塵埃αは、０次開口２４の高さに達した際に当該旋回気流から分離される。当該塵埃αは、０次開口２４を通過する。当該塵埃αは、０次集塵室２２に送られる。
【００３０】
当該旋回気流において、砂塵埃、細かな繊維塵埃等の比較的嵩の小さな塵埃βは、０次開口２４から０次集塵室２２に進入しない。当該塵埃βは、遠心力により円錐部２１ｂの内周面に押し付けられながら下方に進む。当該塵埃βは、１次開口２５を通過する。当該塵埃βは、１次集塵室２３に落下することにより捕捉される。
【００３１】
旋回気流は、旋回室２１の最下部に達する。当該旋回気流は、進行方向を上向きに変えて上昇気流となる。当該上昇気流は、旋回室２１の中心軸に沿って上昇する。当該上昇気流は、塵埃αおよび塵埃βを含まない清浄空気となる。当該清浄空気は、排出管２６とフィルタ２７とを通過して電動送風機７に吸い込まれる。電動送風機７は、当該清浄空気を本体２の外部に排出する。
【００３２】
次に、図６を用いて、含塵空気の流入方法を説明する。
図６はこの発明の実施の形態１における電気掃除機の本体の要部の横断面図である。
【００３３】
図６に示すように、管部１６は、円筒部２１ａの接線の方向から円筒部２１ａに向かう。管部１６は、流入管２０につながる。流入管２０は、円筒部２１ａの接線の方向から円筒部２１ａにつながる。その結果、矢印で示すように、含塵空気は、円筒部２１ａの内周面に沿うように円筒部２１ａの内周面の接線の方向から滑らかに流入する。
【００３４】
次に、図７から図９を用いて、筐体９の収容部１３を説明する。
図７から図９はこの発明の実施の形態１における電気掃除機の本体の要部の分解斜視図である。図７から図９においては、矢印の方向が電気掃除機の下側である。
【００３５】
図７に示すように、電動送風機７と電池ユニット８とは、収容部１３の中心軸に沿って一直線上に配置される。電池ユニット８は、電動送風機７の排気側に配置される。電池ユニット８は、電動送風機７よりも把持部１４の側に配置される。
【００３６】
収容部１３は、第１本体ケース１３ａと第２本体ケース１３ｂとを備える。第１本体ケース１３ａと第２本体ケース１３ｂとの断面は、ほぼ半円状となる。第１本体ケース１３ａは、電動送風機７と電池ユニット８との一側に配置される。第２本体ケース１３ｂは、電動送風機７と電池ユニット８との他側に配置される。
【００３７】
凹部２８ａは、電動送風機７と電池ユニット８とが並んだ方向において第１本体ケース１３ａの外周の中央部に形成される。凹部２８ｂは、電動送風機７と電池ユニット８とが並んだ方向において第１本体ケース１３ａの外周の上側に形成される。凹部２８ｃは、電動送風機７と電池ユニット８とが並んだ方向において第２本体ケース１３ｂの外周の中央部に形成される。凹部２８ｄは、電動送風機７と電池ユニット８とが並んだ方向において第２本体ケース１３ｂの外周の上側に形成される。
【００３８】
吸気口２９は、第２本体ケース１３ｂの下部に形成される。排気口３０は、第２本体ケース１３ｂの凹部２８ｃに形成される。排気口３０は、第１本体ケース１３ａの凹部２８ａに形成されない。
【００３９】
図８に示すように、第１本体ケース１３ａと第２本体ケース１３ｂとは、複数の締結体３１によって締結される。例えば、複数の締結体３１は、ネジからなる。例えば、締結体３１は、収容部１３の両側において第１本体ケース１３ａの凹部２８ａと第２本体ケース１３ｂの凹部２８ｃとを締結する。図示しないが、締結体３１は、収容部１３の両側において第１本体ケース１３ａの凹部２８ｂと第２本体ケース１３ｂの凹部２８ｄとを締結する。この際、第１本体ケース１３ａの凹部２８ｂと第２本体ケース１３ｂの凹部２８ｄとは、トップカバー３２に覆われる。その結果、締結体３１は、本体２の外部から遮蔽される。
【００４０】
図９において、消音材３３は、目の細かい材料で形成される。消音材３３は、第１本体ケース１３ａの凹部２８ａと第２本体ケース１３ｂの凹部２８ｃとをほぼ全面的に外側から覆う。排気口カバー３４は、複数の開口部３４ｅを備える。各開口部３４ｅの開口面積は、消音材３３の目の面積よりも小さい。排気口カバー３４は、消音材３３をほぼ全面的に外側から覆う。その結果、締結体３１は、本体２の外部から遮蔽される。
【００４１】
次に、図１０と図１１とを用いて、排気口カバー３４の取り付けを説明する。
図１０はこの発明の実施の形態１における電気掃除機の本体の要部の正面図である。図１１は図１０のＡ−Ａ線における断面図である。
【００４２】
図１０に示すように、消音材３３と排気口カバー３４とが収容部１３に適切に取り付けられると、排気口カバー３４の外径は、収容部１３の外径とほぼ一致する。
【００４３】
図１１に示すように、第１本体ケース１３ａは、凹部３５を備える。凹部３５は、第１本体ケース１３ａの内部において把持部１４の側に形成される。排気口カバー３４の一端部は、凹部３５の一側に収まる。排気口カバー３４の他端部は、凹部３５の他側に収まる。その結果、排気口カバー３４は、収容部１３に確実に保持される。
【００４４】
次に、図１２から図１４を用いて、排気口カバー３４を説明する。
図１２はこの発明の実施の形態１における電気掃除機の排気口カバーの斜視図である。図１３はこの発明の実施の形態１における電気掃除機の排気口カバーの側面図である。図１４は図１３のＢ−Ｂ線における断面図である。
【００４５】
図１２に示すように、排気口カバー３４は、遮蔽部３４ａと一対の変形部３４ｂと一対の突起部３４ｃと複数の壁部３４ｄとを備える。
【００４６】
遮蔽部３４ａは、Ｃ字状に形成される。遮蔽部３４ａの両端部は、互いに対向する。各変形部３４ｂは、遮蔽部３４ａの両端部の各々に連結される。各変形部３４ｂは、遮蔽部３４ａの外面よりも遮蔽部３４ａの中心軸の側へ凹む。各突起部３４ｃは、各変形部３４ｂの先端部に連結される。各突起部３４ｃは、各変形部３４ｂから遮蔽部３４ａの外側に向けて突き出す。各壁部３４ｄは、各変形部３４ｂの両側に並んだ状態で遮蔽部３４ａの各端部に連結される。各壁部３４ｄは、遮蔽部３４ａから遮蔽部３４ａの外側に向けて突き出す。
【００４７】
排気口カバー３４が収容部１３に適切に取り付けられる際、各突起部３４ｃは、第１本体ケース１３ａの凹部３５の側方に形成された開口に挿入される。この際、各変形部３４ｂは、変形する。その後、各突起部３４ｃが第１本体ケース１３ａの凹部３５に収まると、各変形部３４ｂは、変形から解放される。この際、各壁部３４ｄは、第１本体ケース１３ａの開口を外側から遮蔽する。
【００４８】
図１２から図１４に示すように、遮蔽部３４ａの外観は、均一である。例えば、遮蔽部３４ａは、複数の開口部３４ｅを備える。複数の開口部３４ｅは、遮蔽部３４ａの全体に均一に形成される。複数の開口部３４ｅは、排気口カバー３４の中心軸の方向と排気口カバー３４の外周に沿った方向に規則正しく配置される。
【００４９】
次に、図１５と図１６とを用いて、電池ユニット８を説明する。
図１５はこの発明の実施の形態１における電気掃除機の電池ユニットの分解斜視図である。図１６はこの発明の実施の形態１における電気掃除機の電池ユニットの斜視断面図である。
【００５０】
図１５に示すように、電池ユニット８は、複数の電池８ａと電池制御基板８ｂと本体制御基板８ｃと保持体８ｄと仕切体８ｅと第１電池ケース８ｆと第２電池ケース８ｇとを備える。
【００５１】
各電池８ａは、蓄電池からなる。例えば、各電池８ａは、リチウムイオン電池からなる。電池制御基板８ｂは、電池８ａの出力電圧等を制御する素子を搭載する。本体制御基板８ｃは、電動送風機７の動作を制御する素子を搭載する。保持部は、樹脂で形成される。保持体８ｄは、複数の保持部を備える。保持部の数は、電池８ａの数と同じである。仕切体８ｅは、樹脂で形成される。仕切体８ｅは、凸部３６を備える。第１電池ケース８ｆは、樹脂で形成される。第２電池ケース８ｇは、樹脂で形成される。第２電池ケース８ｇは、一対の壁部３７を備える。
【００５２】
本体制御基板８ｃは、第１コネクタ３８ａと第２コネクタ３８ｂと第３コネクタ３８ｃと第４コネクタ３８ｄと第５コネクタ３８ｅとを備える。第１コネクタ３８ａと第２コネクタ３８ｂとは、本体制御基板８ｃの表面の一側に設けられる。第３コネクタ３８ｃと第４コネクタ３８ｄと第５コネクタ３８ｅとは、本体制御基板８ｃの裏面の一側に設けられる。
【００５３】
第１コネクタ３８ａは、本体制御基板８ｃと操作部１５とを電気的に接続する際に用いられる。第２コネクタ３８ｂは、本体制御基板８ｃと充電端子６とを電気的に接続する際に用いられる。第２コネクタ３８ｂは、本体制御基板８ｃとブラシモータとを電気的に接続する際に用いられる。第３コネクタ３８ｃと第４コネクタ３８ｄとは、本体制御基板８ｃと電動送風機７のモータとを電気的に接続する際に用いられる。第５コネクタ３８ｅは、電動送風機７に取り付けられたサーミスタと電気的に接続する際に用いられる。
【００５４】
図１６に示すように、保持体８ｄは、電池８ａと電池制御基板８ｂとの間に設けられる。保持体８ｄの各保持部は、各電池８ａを保持する。仕切体８ｅは、電池制御基板８ｂと本体制御基板８ｃとの間に配置される。第１電池ケース８ｆは、電池８ａと制御基板と本体制御基板８ｃとが並んだ方向の一側に配置される。第２電池ケース８ｇは、電池８ａと制御基板と本体制御基板８ｃとが並んだ方向の他側に配置される。第１電池ケース８ｆと第２電池ケース８ｇとは、電池８ａと電池制御基板８ｂと本体制御基板８ｃと保持体８ｄと仕切体８ｅとを覆う。
【００５５】
電池ユニット８において、仕切体８ｅの凸部３６は、第２電池ケース８ｇの一対の壁部３７の間に嵌め合わされる。その結果、第３コネクタ３８ｃと第４コネクタ３８ｄと第５コネクタ３８ｅとの側の空間と複数の電池８ａの側の空間とは、仕切体８ｅの凸部３６と第２電池ケース８ｇの一対の壁とにより区切られる。
【００５６】
次に、図１７を用いて、本体２の配線を説明する。
図１７はこの発明の実施の形態１における電気掃除機の本体の要部の縦断面図である。図１７においては、矢印方向が手前側である。
【００５７】
図１７に示すように、電池ユニット８が収容部１３に適切に収容されると、電池８ａは、電池制御基板８ｂと本体制御基板８ｃとよりも把持部１４から離れる。
【００５８】
操作部リード線３９は、本体制御基板８ｃにおける電動送風機７の側とは反対側と操作部１５とを電気的に接続する。具体的には、操作部リード線３９は、トップカバー３２の内側と把持部１４の手前側とに沿って配線される。操作部リード線３９は、トップカバー３２と第１筐体カバー１８とに覆われる。操作部リード線３９の一側は、操作部１５に接続される。操作部リード線３９の他側は、第１コネクタ３８ａに接続される。
【００５９】
充電端子リード線４０は、本体制御基板８ｃにおける電動送風機７の側とは反対側とブラシモータとを電気的に接続する。具体的には、充電端子リード線４０は、トップカバー３２の内側と把持部１４の手前側と操作部１５の手前側と管部１６の手前側と延長管１１の手前側とに沿って配線される。充電端子リード線４０は、トップカバー３２と第１筐体カバー１８に覆われる。充電端子リード線４０の一側は、操作部１５に接続される。充電端子リード線４０の他側は、第２コネクタ３８ｂに接続される。
【００６０】
ブラシモータリード線４１は、本体制御基板８ｃにおける電動送風機７の側とは反対側とブラシモータとを電気的に接続する。具体的には、ブラシモータリード線４１は、トップカバー３２の内側と把持部１４の手前側と操作部１５の手前側と管部１６の手前側と延長管１１の手前側とに沿って配線される。ブラシモータリード線４１は、トップカバー３２と第１筐体カバー１８と第２筐体カバー１９とに覆われる。図示しないが、ブラシモータリード線４１は、延長管カバー１１ａにも覆われる。ブラシモータリード線４１の一側は、操作部１５に接続される。ブラシモータリード線４１の他側は、第２コネクタ３８ｂに接続される。
【００６１】
第１電動送風機リード線４２と第２電動送風機リード線４３とは、本体制御基板８ｃにおける電動送風機７の側と電動送風機７のモータとを電気的に接続する。具体的には、第１電動送風機リード線４２の一側は、電動送風機７のモータの入力端子に接続される。第１電動送風機リード線４２の他側は、第３コネクタ３８ｃに接続される。第２電動送風機リード線４３の一側は、電動送風機７のモータの入力端子に接続される。第２電動送風機リード線４３の他側は、第４コネクタ３８ｄに接続される。
【００６２】
サーミスタリード線４４は、本体制御基板８ｃにおける電動送風機７の側と電動送風機７に設けられたサーミスタとを電気的に接続する。具体的には、サーミスタリード線４４の一側は、サーミスタに接続される。サーミスタリード線４４の他側は、第５コネクタ３８ｅに接続される。
【００６３】
次に、図１８から図２０を用いて、筐体９から集塵容器１０を取り外す方法を説明する。
図１８から図２０はこの発明の実施の形態１における電気掃除機の本体の要部の縦断面図である。
【００６４】
図１８に示すように、筐体９は、凸部４５を備える。凸部４５は、凸部１７の上方に設けられる。集塵容器１０は、集塵カップ１０ａと操作体１０ｂを備える。集塵カップ１０ａは、集塵容器１０の下部に設けられる。集塵カップ１０ａは、円筒状に形成される。集塵カップ１０ａは、底部を備える。集塵カップ１０ａは、凹部４６を備える。凹部４６は、集塵カップ１０ａの底部の手前側に形成される。集塵カップ１０ａは、０次集塵室２２を形成する。操作体１０ｂは、集塵容器１０の奥側に設けられる。操作体１０ｂは、レバー４７とラッチ４８と第１弾性体４９と第２弾性体５０とを備える。
【００６５】
集塵容器１０が筐体９に適切に取り付けられると、筐体９の凸部４５は、集塵カップ１０ａの凹部４６に嵌る。操作体１０ｂは、第１位置に配置される。この際、レバー４７の上部は、筐体９の凹部１３ｃに挿入される。ラッチ４８は、レバー４７の下方に配置される。ラッチ４８の下部は、集塵カップ１０ａの一部と噛み合う。第１弾性体４９は、上向きの荷重をレバー４７の上部に与える。第２弾性体５０は、集塵容器１０の外側へ向いた水平方向の荷重をラッチ４８の上部に与える。その結果、集塵容器１０は、筐体９との連結を維持する。集塵カップ１０ａは、集塵容器１０の他の部分との連結を維持する。
【００６６】
図１９に示すように、使用者が操作位置となる凹部４７ｂに指をかけて、下方に押すことでレバー４７が第１弾性体４９からの荷重よりも大きな荷重で下げられると、操作体１０ｂは、第２位置に配置される。この際、レバー４７の上部は、筐体９の凹部１３ｃから外れる。その結果、集塵容器１０は、筐体９との連結から解放される。この際、集塵カップ１０ａは、集塵容器１０の他の部分との連結を維持する。
【００６７】
図２０に示すように、操作体１０ｂが第２位置に配置された状態において集塵容器１０の上部を奥側に倒すと、集塵容器１０は、筐体９から取り外される。この際、集塵カップ１０ａは、集塵容器１０の他の部分との連結を維持する。
【００６８】
次に、図２１を用いて、集塵容器１０から集塵カップ１０ａを取り外す方法を説明する。
図２１はこの発明の実施の形態１における電気掃除機の本体の要部の縦断面図である。
【００６９】
図２１に示すように、レバー４７が第１弾性からの荷重および第２弾性体５０からの荷重に対応した荷重を合計した荷重よりも大きな荷重でさらに下げられると、操作体１０ｂは、第３位置に配置される。この際の操作方向は、操作体１０ｂが第１位置から第２位置まで操作される方向と一致する。この際、ラッチ４８の下部は、集塵容器１０の外側に開く。その結果、ラッチ４８の下部は、集塵カップ１０ａの一部との噛み合いから解放される。この状態で、集塵カップ１０ａが下げられると、集塵カップ１０ａは、集塵容器１０から取り外される。この状態で、集塵カップ１０ａを上下反転させると、塵埃αおよび塵埃βが廃棄される。
【００７０】
次に、図２２から図２４を用いて、レバー４７とラッチ４８との動作を説明する。
図２２から図２４はこの発明の実施の形態１における電気掃除機のレバーとラッチとの側面図である。
【００７１】
図２２から図２４に示すように、レバー４７は、ガイド部４７ａを備える。ガイド部４７ａは、レバー４７の下部に形成される。ガイド部４７ａは、垂直部と傾斜部とを備える。ラッチ４８は、回転軸４８ａと接触部４８ｂと備える。回転軸４８ａは、円柱状に形成される。回転軸４８ａは、ラッチ４８の上下方向における中央部の両側に形成される。接触部４８ｂは、円柱状に形成される。接触部４８ｂは、ラッチ４８の上部の両側に形成される。
【００７２】
図２２に示すように、操作体１０ｂが第１位置に配置されると、ラッチ４８の接触部４８ｂは、レバー４７の垂直部の下部に接触する。図２３に示すように、操作体１０ｂが第２位置まで下げられると、ラッチ４８の操作部１５は、レバー４７の垂直部の上部に接触する。図２４に示すように、操作体１０ｂが第３位置まで下げられると、ラッチ４８の操作部１５は、レバー４７の傾斜部に移動する。この際、ラッチ４８は、回転軸４８ａを中心にして回転する。
【００７３】
次に、図２５を用いて、レバー４７の詳細を説明する。
図２５はこの発明の実施の形態１における電気掃除機のレバーの斜視図である。
【００７４】
図２５に示すように、レバー４７は、凹部４７ｂを備える。凹部４７ｂは、レバー４７の上下方向における中央部に形成される。レバー４７は、突起部４７ｃを備える。突起部４７ｃは、凹部４７ｂの下方に形成される。突起部４７ｃは、レバー４７の他の部分から外側に突き出す。
【００７５】
次に、図２６を用いて、ラッチ４８の詳細を説明する。
図２６はこの発明の実施の形態１における電気掃除機のラッチの斜視図である。
【００７６】
図２６に示すように、ラッチ４８は、突起部４８ｃを備える。突起部４８ｃは、ラッチ４８の上部の内側に形成される。突起部４８ｃの外径は、第２弾性体５０の内径に合わせて形成される。
【００７７】
以上で説明した実施の形態１によれば、締結体３１は、消音材３３と排気口カバー３４とに覆われる。このため、外観の意匠性を維持しつつ、筐体９を締結体３１で締結することができる。
【００７８】
なお、第１本体ケース１３ａの中央部と第２本体ケース１３ｂの中央部との双方に排気口３０を形成してもよい。この場合でも、外観の意匠性を維持しつつ、筐体９を締結体３１で締結することができる。
【００７９】
この際、第２本体ケース１３ｂの排気口３０の開口面積の合計値を第１本体ケース１３ａの排気口３０の開口面積の合計値よりも大きくしてもよい。この場合、第１本体ケース１３ａの側と第２本体ケース１３ｂの側とにおいてカバーの開口部３４ｅを均一に形成しても、本体２からの排気が利用者に向かうことを抑制できる。
【００８０】
また、第１本体ケース１３ａの中央部に排気口３０を形成し、第２本体ケース１３ｂの中央部に排気口３０を形成しなくてもよい。この場合でも、外観の意匠性を維持しつつ、筐体９を締結体３１で締結することができる。
【００８１】
なお、紙パックに塵埃を蓄える電気掃除機においても、排気口３０の付近で筐体９を締結体３１で締結すればよい。この際、消音材３３と排気口カバー３４とで締結体３１を覆えばよい。この場合でも、外観の意匠性を維持しつつ、筐体９を締結体３１で締結することができる。
【００８２】
また、排気口カバー３４の突起部３４ｃは、第１本体ケース１３ａの凹部３５の内側に配置される。この際、突起部３４ｃは筐体９の外側から見えない。このため、外観の意匠性を向上することができる。
【００８３】
また、各壁部３４ｄは、第１本体ケース１３ａの開口を外側から遮蔽する。このため、外観の意匠性を向上することができる。
【００８４】
また、筐体９と集塵容器１０との連結の解除および集塵容器１０と集塵カップ１０ａとの連結の解除は、操作体１０ｂを操作することにより行われる。このため、塵埃を容易に廃棄することができる。
【００８５】
また、操作体１０ｂは、第１位置から第２位置まで操作される方向と第２位置から第３位置まで操作される方向が一致するように設けられる。このため、筐体９と集塵容器１０との連結の解除および集塵容器１０と集塵カップ１０ａとの連結の解除を簡単な操作で行うことができる。
【００８６】
また、操作体１０ｂは、第２位置から第３位置までに操作される際に要する力が第１位置から第２位置まで操作される際に要する力よりも大きくなるように設けられる。このため、筐体９と集塵容器１０との連結の解除および集塵容器１０と集塵カップ１０ａとの連結の解除とが連続的に行われることを防止できる。その結果、集塵カップ１０ａが誤って脱落することを防止できる。
【００８７】
なお、操作体１０ｂが第１位置に配置されている場合、筐体９の凸部４５は、集塵カップ１０ａの凹部４６に嵌っている。このため、仮に筐体９と集塵容器１０との連結の解除および集塵容器１０と集塵カップ１０ａとの連結の解除とが連続的に行われるとしても、集塵カップ１０ａは脱落しない。
【００８８】
また、操作体１０ｂは、レバー４７、ラッチ４８等で構成される。このため、筐体９と集塵容器１０との連結の解除および集塵容器１０と集塵カップ１０ａとの連結の解除を簡単な構成で行うことができる。
【００８９】
また、レバー４７とラッチ４８とは、連動して動作する。このため、レバー４７とラッチ４８とは、寸法精度と摺動性とを求められる。この場合、レバー４７とラッチ４８との少なくとも一方を高摺動性ＡＢＳまたはＰＯＭ樹脂で形成すればよい。レバー４７は、溝の間を上下へ大きく移動する。このため、レバー４７は、寸法精度を厳しく求められる。この場合、レバー４７をＡＢＳまたは高摺動性ＡＢＳで形成すればよい。ラッチ４８は、レバー４７と接触しながら回転する。このため、ラッチ４８は、摺動性を厳しく求められる。この場合、レバー４７よりも摩擦抵抗の小さい材料でラッチ４８を形成すればよい。例えば、ラッチ４８を摩擦係数の小さいＰＯＭ樹脂で形成すればよい。
【００９０】
また、操作体１０ｂは、集塵容器１０において把持部１４の反対側に設けられる。このため、操作体１０ｂは、本体２の手前側から見えない。その結果、電気掃除機の正面の意匠性を向上することができる。
【００９１】
また、把持部１４と管部１６と延長管１１とは、一直線上に配置される。このため、塵埃を吸引する際に狙いを付けやすくすることができる。特に延長管１１を取り外して塵埃を吸引する際に狙いを付けやすくすることができる。さらに、電気掃除機の正面から見た際の凹凸を減らすことができる。その結果、電気掃除機の正面の意匠性を向上することができる。
【００９２】
また、ブラシモータリード線４１は、第１筐体カバー１８と第２筐体カバー１９と延長管カバー１１ａとに覆われる。このため、回転ブラシを用いる場合でも、電気掃除機の正面の意匠性を向上することができる。
【００９３】
また、電動送風機７と収容部１３と集塵容器１０との中心軸は、把持部１４と管部１６と延長管１１との中心軸に対して平行にずれる。このため、大きな部品の軸の方向が揃う。その結果、電気掃除機を一体感のあるデザインで製作することができる。
【００９４】
また、管部１６は、旋回室２１の接線の方向から旋回室２１に向かう。このため、管部と旋回室２１とは別の部品を用いることなく、管部１６と旋回室２１とを連結することができる。その結果、部品の段落および割線を減らすことができる。このため、塵埃のひっかかりを抑制しつつ、意匠性を向上することができる。
【００９５】
また、電池ユニット８は、把持部１４の側において収容部１３に収容される。このため、階段、高所等において、吸込口体１２を持ち上げる際に、把持部１４を確実に握ることができる。その結果、使用者の手への負担を軽減することができる。
【００９６】
また、電池制御基板８ｂと本体制御基板８ｃとは、第１電池ケース８ｆと第２電池ケース８ｇとに覆われる。電池制御基板８ｂと本体制御基板８ｃとは、仕切体８ｅで仕切られる。このため、電気掃除機の大型化を抑制することができる。電気掃除機の部品点数を少なくすることができる。電気掃除機の重量を減少させることができる。電気掃除機の価格を下げることができる。
【００９７】
また、電池８ａは、電池制御基板８ｂと前記本体制御基板８ｃとよりも把持部１４から離れる。このため、電池８ａからの発熱で把持部１４の温度が上昇することを抑制できる。その結果、安心して使用しやすい電気掃除機を実現することができる。
【００９８】
また、操作部リード線３９は、第１電動送風機リード線４２と第２電動送風機リード線４３とから離れて配線される。このため、操作部リード線３９を流れる電圧が第１電動送風機リード線４２と第２電動送風機リード線４３とから電動送風機７への電力供給状態によって変動することを抑制できる。
【００９９】
保持体８ｄと仕切体８ｅと第２電池ケース８ｇとは、電池８ａを収容する。このため、保持体８ｄと仕切体８ｅと第２本体ケース１３ｂとを耐薬品性のよいＰＰまたはＰＣ系の樹脂で形成すればよい。例えば、保持体８ｄをＵＬ９４規格のＶ−０に適合するＰＰ系の樹脂で形成すればよい。
【０１００】
第１電池ケース８ｆは、第１本体ケース１３ａの形状に合わせて形成される。このため、第２電池ケース８ｇは、寸法安定性のよいＡＢＳ系の樹脂で形成すればよい。
【０１０１】
仕切体８ｅと第１電池ケース８ｆと第２電池ケース８ｇとは、電池制御基板８ｂと本体制御基板８ｃとを収容する。この場合、仕切体８ｅと第１電池ケース８ｆと第２電池ケース８ｇとを難燃剤が添加された樹脂で形成すればよい。例えば、仕切体８ｅをＵＬ４９規格の５ＶＡに適合するＰＰ系の樹脂で形成すればよい。例えば、第１電池ケース８ｆをＵＬ９４規格の５ＶＡに適合するＡＢＳ系の樹脂で形成すればよい。例えば、第２電池ケース８ｇをＵＬ４９規格の５ＶＡに適合するＰＰ系の樹脂で形成すればよい。
【０１０２】
実施の形態２．
図２７はこの発明の実施の形態２における電気掃除機の排気口カバーの縦断面図である。なお、実施の形態１と同一又は相当部分には、同一符号が付される。当該部分の説明は省略される。
【０１０３】
実施の形態１において、複数の開口部３４ｅは、遮蔽部３４ａの全体に均一に形成される。これに対し、実施の形態２において、複数の開口部３４ｅは、遮蔽部３４ａの全体に均一に形成されない。
【０１０４】
実施の形態２において、遮蔽部３４ａは、複数の開口部３４ｅと複数の凹部３４ｆとを備える。複数の開口部３４ｅは、遮蔽部３４ａの端部とは反対側に形成される。複数の凹部３４ｆは、遮蔽部３４ａの端部の側に形成される。各凹部３４ｆと各開口部３４ｅとは、互いの形状に合わせて形成される。
【０１０５】
以上で説明した実施の形態２によれば、各凹部３４ｆと各開口部３４ｅとは、互いの形状に合わせて形成される。このため、本体２からの排気が利用者に向かうことを抑制しつつ、電気掃除機を一体感のあるデザインで製作することができる。
【符号の説明】
【０１０６】
１  充電台、  ２  本体、  ３  台座、  ４  支柱、  ５  凹部、  ６  充電端子、  ７  電動送風機、  ８  電池ユニット、  ８ａ  電池、  ８ｂ  電池制御基板、  ８ｃ  本体制御基板、  ８ｄ  保持体、  ８ｅ  仕切体、  ８ｆ  第１電池ケース、  ８ｇ  第２電池ケース、  ９  筐体、  １０  集塵容器、  １０ａ  集塵カップ、  １０ｂ  操作体、  １１  延長管、  １１ａ  延長管カバー、  １２  吸込口体、  １３  収容部、  １３ａ  第１本体ケース、  １３ｂ  第２本体ケース、  １３ｃ  凹部、  １４  把持部、  １５  操作部、  １６  管部、  １７  凸部、  １８  第１筐体カバー、  １９  第２筐体カバー、  ２０  流入管、  ２１  旋回室、  ２１ａ  円筒部、  ２１ｂ  円錐部、  ２２  ０次集塵室、  ２３  １次集塵室、  ２４  ０次開口、  ２５  １次開口、  ２６  排出管、  ２７  フィルタ、  ２８ａ〜２８ｄ  凹部、  ２９  吸気口、  ３０  排気口、  ３１  締結体、  ３２  トップカバー、  ３３  消音材、  ３４  排気口カバー、  ３４ａ  遮蔽部、  ３４ｂ  変形部、  ３４ｃ  突起部、  ３４ｄ  壁部、  ３４ｅ  開口部、  ３４ｆ  凹部、  ３５  凹部、  ３６  凸部、  ３７  壁部、  ３８ａ  第１コネクタ、  ３８ｂ  第２コネクタ、  ３８ｃ  第３コネクタ、  ３８ｄ  第４コネクタ、  ３８ｅ  第５コネクタ、  ３９  操作部リード線、  ４０  充電端子リード線、  ４１  ブラシモータリード線、  ４２  第１電動送風機リード線、  ４３  第２電動送風機リード線、  ４４  サーミスタリード線、  ４５  凸部、  ４６  凹部、  ４７  レバー、  ４７ａ  ガイド部、  ４７ｂ  凹部、  ４７ｃ  突起部、  ４８  ラッチ、  ４８ａ  回転軸、  ４８ｂ  接触部、  ４８ｃ  突起部、  ４９  第１弾性体、  ５０  第２弾性体
【図１】
0006459544.tif 000002
【図２】
0006459544.tif 000003
【図３】
0006459544.tif 000004
【図４】
0006459544.tif 000005
【図５】
0006459544.tif 000006
【図６】
0006459544.tif 000007
【図７】
0006459544.tif 000008
【図８】
0006459544.tif 000009
【図９】
0006459544.tif 000010
【図１０】
0006459544.tif 000011
【図１１】
0006459544.tif 000012
【図１２】
0006459544.tif 000013
【図１３】
0006459544.tif 000014
【図１４】
0006459544.tif 000015
【図１５】
0006459544.tif 000016
【図１６】
0006459544.tif 000017
【図１７】
0006459544.tif 000018
【図１８】
0006459544.tif 000019
【図１９】
0006459544.tif 000020
【図２０】
0006459544.tif 000021
【図２１】
0006459544.tif 000022
【図２２】
0006459544.tif 000023
【図２３】
0006459544.tif 000024
【図２４】
0006459544.tif 000025
【図２５】
0006459544.tif 000026
【図２６】
0006459544.tif 000027
【図２７】
0006459544.tif 000028